(57)【要約】      （修正有）【課題】建物内や家庭内の排水口の上端部の開口から虫や小動物が出入りすることを阻止し、排水管を伝って臭気が上昇するのを防止し、かつ、このようにする排水蓋を付設する排水口や排水管の内部の上端部の構造を特殊な物にすることなく、排水口や排水管の内部に取付けも容易な装置を提供する。【解決手段】排水口の上端部に取付ける排水口の排水蓋で、排水口の上端部に取付ける取付体１に排水口の上端部の開口を開閉する蓋２を回動自在に取付け、蓋２にかかる排水圧に応じて蓋２を開放するとともに排水圧がかかっていない蓋２を閉じ姿勢に付勢する付勢手段３を設けている。さらに排水管の内部に取付ける排水管の排水蓋Ａであり、排水管の内部に取付ける取付体１に排水口１２の排水管の内部を開閉する蓋２を回動自在に取付け、蓋２にかかる排水圧に応じて蓋２を開放するとともに排水圧がかかっていない蓋２を閉じ姿勢に付勢する付勢手段を設けている。【選択図】図１
2005113669.tif 000002
【特許請求の範囲】
【請求項１】
排水口の上端部に取付ける排水口の排水蓋であって、排水口の上端部に取付ける取付体に排水口の上端部の開口を開閉する蓋を回動自在に取付け、蓋にかかる排水圧に応じて蓋を解放するとともに排水圧がかかっていない蓋を閉じ姿勢に付勢する付勢手段を設けてなることを特徴とする排水口の排水蓋。
【請求項２】
取付体は、排水口の上端部に取付ける円形板体であることを特徴とする請求項１記載の排水口の排水蓋。
【請求項３】
円形板体の内部に排水口がある、排水口の下に蓋を取付け、蓋を支点の回りに回動自在に支持し、蓋より支点を越えて延出部を形成し、延出部に付勢手段としてのバランスウエイトを設けてユニット化して成ることを特徴とする請求項２記載の排水口の排水蓋。
【請求項４】
排水管の内部に取付ける排水管の排水蓋であって、排水管の内部に取付ける取付体に排水管の内部を開閉する蓋を回動自在に取付け、蓋にかかる排水圧に応じて蓋を開放するとともに排水圧がかかっていない蓋を閉じ姿勢を付勢する付勢手段を設けていることを特徴とする。排水管の排水蓋である。
【請求項５】
取付体は、排水管の内部に載せる横向にも取付け可能であることを特徴とする請求項４記載の排水管の排水蓋。
【請求項６】
円形板体の内部に排水口がある、排水口の下に蓋を取付け、蓋を支点の回りに回動自在に支持し、蓋より支点を越えて延出部を形成し、延出部に付勢手段としてのバランスウエイトを設けてユニット化して成ることを特徴とする請求項５記載の排水管の排水蓋。
【発明の詳細な説明】
【技術分野】
【０００１】  本発明は建物内の排水口や排水管が、下水道と接続されている場合において、下水道管で発生した悪臭や害虫が上昇し、排水口より建物内に飛散するのを内部から構造的に遮蔽しようとする技術である。
【背景技術】
【０００２】  従来、図８に示すように排水管は下水道と接続されているため、流し等の排水口の下にトラップを取付けていない場合（図８（ｂ）（ｃ）参照）は直接下水道で発生している悪臭や害虫が上昇し建物内に飛散するので不衛生である。
トラップを取付けている場合（図８（ａ）参照）でもトラップの水位が低下すると悪臭や害虫が上昇するのでトラップを取付けていない場合と同様の現象になるのである。
図９（ａ）は、従来流し台に設置されている菊割れゴム蓋であり、排水口が常時開いた状態である。
図９（ｂ）は、菊割れゴム蓋の代換品であり蓋をスライドすることにより防臭機能を付与することが出来るが、手動で切替えるため利便性に欠ける。
【発明が解決しようとする課題】
【０００３】  本発明は、このような問題に鑑みてなされたものであり、建物内や家庭内の排水口の上端部、排水管の内部の開口から虫や小動物が出入りすることを阻止し、排水管を伝って臭気が上昇するのを防止し、かつ、このようにする排水蓋を付設する排水口の上端部、排水管の内部の構造を特殊な物にすることなく、通常の構造とし、排水口の上端部、排水管の内部に取付けも容易にできる排水口・排水管の排水蓋を提供することを課題とするものである。
【課題を解決するための手段】
【０００４】  請求項１の発明においては排水口１２の上端部に取付ける排水口の排水蓋であって、排水口１２の上端部に取付ける取付体１に排水口１２の上端部の開口１９を開閉する蓋２を回動自在に取付け、蓋２にかかる排水圧に応じて蓋２を開放するとともに排水圧がかかっていない蓋２を閉じ姿勢に付勢する付勢手段を設けていることを特徴とするものである。
このような構成によれば、排水口１２の上端部の開口１９は蓋２に排水圧がかからない非排水状態においては、付勢手段３による付勢力によって閉じられているから、排水口１２の上端部の開口１９から害虫が屋内側に侵入することがなく、又、外部からの臭気が排水管１５を伝わって屋内側に侵入することがない。それでいて、蓋２は排水口１２の開口１９を従来のように開放状態ではなく、バランスウエイトＷの様な付勢手段３によって閉じることになり、従来のように、消臭剤や殺虫剤の散布をしなくてもよくなる。
請求項２の発明においては、取付体１は、排水口１２の上端部に載せる円形板体４であることを特徴とするものである。このような構成によれば、排水口１２が筒形である場合に言うに及ばず、排水口１２の寸法が大小に関わらず四角い形状のものであっても、排水口１２の上端部の開口１９に合わせて円形板体４を載せることで、排水蓋の取付けが容易・迅速・正確におこなうことができる。
請求項３の発明においては、円形板１に蓋２を支点Ｐの回りに回動自在に支持し、蓋２より支点Ｐを越えて延出部５を形成し、延出部５に付勢手段３としてのバランスウエイトＷを設けてユニット化していることを特徴とするものである。
このような構成によれば、支点Ｐの一方に蓋２が、他方にバランスウエイトＷを設けることで、簡単で壊れ難い構造としながら、蓋２の開閉のための動きを長期にわたって安定化させることができ、かつ、排水蓋Ａはユニット化されて、蓋２とバランスウエイトＷの平衡を確保しやすく、排水蓋Ａの排水口１２への取付けも容易・確実・迅速に行いやすく、排水蓋Ａの商品価値を高めることができる。
請求項４の発明においては排水管１５の内部に取付ける排水管の排水蓋であって、排水管１５の内部に取付ける取付体１に排水管１５の内部を開閉する蓋２を回動自在に取付け、蓋２にかかる排水圧に応じて蓋２を開放するとともに排水圧がかかっていない蓋２を閉じ姿勢に付勢する付勢手段を設けていることを特徴とするものである。
このような構成によれば、排水管１５の内部は蓋２に排水圧がかからない非排水状態においては、付勢手段３による付勢力によって閉じられているから、排水管１５の内部から害虫が屋内側に侵入することがなく、又、外部からの臭気が排水管１５を伝わって屋内側に侵入することがない。それでいて、蓋２は排水管１５を従来のように開放状態ではなく、バランスウエイトＷの様な付勢手段３によって閉じることになり、従来のように、消臭剤や殺虫剤の散布をしなくてもよくなる。
請求項５の発明においては、取付体１は、排水管１５の内部に載せる円形板体４であることを特徴とするものである。このような構成によれば、排水管１５が筒形である場合に言うに及ばず、排水管１５の寸法が大小に関わらず四角い形状のものであっても、排水管１５の内部に合わせて円形板体４を載せることで、排水蓋の取付けが容易・迅速・正確におこなうことができる。
横向にも取付け可能である。
請求項６の発明においては、円形板１に蓋２を支点Ｐの回りに回動自在に支持し、蓋２より支点Ｐを越えて延出部５を形成し、延出部５に付勢手段３としてのバランスウエイトＷを設けてユニット化していることを特徴とするものである。
このような構成によれば、支点Ｐの一方に蓋２が、他方にバランスウエイトＷを設けることで、簡単で壊れ難い構造としながら、蓋２の開閉のための動きを長期にわたって安定化させることができ、かつ、排水蓋Ａはユニット化されて、蓋２とバランスウエイトＷの平衡を確保しやすく、排水蓋Ａの排水管１５への取付けも容易・確実・迅速に行いやすく、排水蓋Ａの商品価値を高めることができる。
【発明の効果】
【０００５】  請求項１の発明においては、排水口の上端部に取付ける排水口の排水蓋であって、排水口の上端部に取付ける取付体に排水口の上端部の開口を開閉する蓋を回動自在に取付け、蓋にかかる排水圧に応じて蓋を開放するとともに排水圧がかかっていない蓋を閉じ姿勢に付勢する付勢手段を設けているから、排水管の端部の開口は蓋に排水圧がかからない非排水状態においては、付勢手段による付勢力によって閉じられているから、排水口１２の上端部の開口から屋内に害虫が侵入することがなく、又、臭気が排水管を伝って屋内側に侵入することがないという利点がある。
それでいて、蓋は排水管の開口を従来のように手動で開閉するのではなく、バランスウエイトのような付勢手段によって自動開閉することから、排水口の上端部の開口は、蓋を閉じ忘れることもなく開口を充分に閉じることができ、従来のように、排水口を手動で開閉しなくてもよく、従来に比べて便利で衛生的という利点がある。
請求項２の発明においては、請求項１の効果に加えて、取付体は、排水管の端部に載せる円形板であるから、排水口が丸型である場合は言うに及ばず、排水口が四角い形状の物であっても、排水口の上端部の開口の形状の取付体を載せることで、排水蓋の取付けが容易・迅速・正確に行うことができるという利点がある。
請求項３の発明においては、請求項２の効果に加えて、筒体に蓋を支点の回りに回動自在に支持し、蓋より支点を越えて延出部を形成し、延出部に付勢手段としてのバランスウエイトを設けてユニット化しているから、支点の一方に蓋が、他方にバランスウエイトを設けることで、簡単で壊れ難い構造としながら、蓋の開閉のための動きを長期にわたって安定化させることができ、かつ、排水蓋はユニット化して、蓋とバランスウエイトの平衡を確保しやすく、排水蓋の排水口への取付けも容易・確実・迅速におこないやすく、排水蓋の商品価値を高めることができるという利点がある。
請求項４の発明においては、排水管の内部に取付ける排水管の排水蓋であって、排水管の内部に取付ける取付体に排水管の内部の開口を開閉する蓋を回動自在に取付け、蓋にかかる排水圧に応じて蓋を開放するとともに排水圧がかかっていない蓋を閉じ姿勢に付勢する付勢手段を設けているから、排水管の開口は蓋に排水圧がかからない非排水状態においては、付勢手段による付勢力によって閉じられているから、排水管の内部の開口から屋内に害虫が侵入することがなく、又、臭気が排水管を伝って屋内側に侵入することがないという利点がある。
それでいて、蓋は排水管の開口を従来のように手動で開閉するのではなく、バランスウエイトのような付勢手段によって自動開閉することから、排水管の内部の開口は、蓋を閉じ忘れることもなく開口を充分に閉じることができ、便利で衛生的という利点がある。
請求項５の発明においては、請求項４の効果に加えて、取付体は、排水管の内部に載せる円形板であるから、排水管が丸型である場合は言うに及ばず、排水管が四角い形状の物であっても、排水管の内部の開口の形状の取付体を載せることで、排水蓋の取付けが容易・迅速・正確に行うことができるという利点がある。
請求項６の発明においては、請求項５の効果に加えて、筒体に蓋を支点の回りに回動自在に支持し、蓋より支点を越えて延出部を形成し、延出部に付勢手段としてのバランスウエイトを設けてユニット化しているから、支点の一方に蓋が、他方にバランスウエイトを設けることで、簡単で壊れ難い構造としながら、蓋の開閉のための動きを長期にわたって安定化させることができ、かつ、排水蓋はユニット化して、蓋とバランスウエイトの平衡を確保しやすく、排水蓋の排水口への取付けも容易・確実・迅速におこないやすく、排水蓋の商品価値を高めることができるという利点がある。
【発明を実施するための最良の形態】
【０００６】  以下、本発明の実施の形態を説明する。図１（ａ）は正面図、同図（ｂ）は断面図である。図２（ａ）は正面図、同図（ｂ）は断面図である。図３（ａ）は正面図、同図（ｂ）は断面図である。図４（ａ）は正面図、同図（ｂ）は断面図である。図５（ａ）は正面図、同図（ｂ）は断面図である。図６（ａ）は正面図、同図（ｂ）は断面図である。図７は本発明の実施の一形態の断面図である。図８は従来の一形態の断面図である。
図８に示すように排水口１２より排水管１５を通して排水桝１６に接続している。排水桝１６の底部よりやや下方には太い下水道管１８に接続して排水桝１６からの排水を例えば下水道管１８に排水することができるようにしている。この場合、排水口１２の下部にトラップ１３がある場合とない場合がある。排水口１２、排水管１５の内部に本発明の排水蓋Ａを取付けてあって、排水管１５から虫や小動物が侵入することを阻止し、排水管１を伝って臭気が侵入するのを防止している。
以下、排水蓋Ａを詳述する。
図１、図２、図３、図４、図５、図６に示す実施の形態においては、排水蓋Ａは、取付体４としての丸型の円形板１の丸穴の横部にヒンジ金具５を取付け、ヒンジ金具５に保持した支点Ｐとなる軸２０に蓋２を回動自在に支持し、蓋２側から支点Ｐを越えて延出した延出部３にバランスウエイトＷを取付けて構成したものであり、このような排水蓋Ａは、ユニット化されて取扱いが容易となっている。上記丸型の円形板１はその外形が規格品の排水口１２に開口内部に嵌入される大きさに選定されたものである。
しかして、丸型の円形板１が排水口１２の開口１９に嵌入され、排水蓋Ａを排水口１２に取付けている。
このように、排水口１２の上端部に取付ける円形体１に排水口に上端部の開口１９を開閉する蓋２を回動自在に取付け、蓋２にかかる排水圧に応じて蓋２を開放とするとともに排水圧がかかっていない蓋２を閉じ姿勢に付勢する付勢手段３としてのバランスウエイトＷを設けていることから、排水口１２の上端部の開口１９は排水が行われていないときにはバランスウエイトＷによる回動付勢力によって蓋２が閉じられていて、排水口１２の上端部の開口１９から害虫が侵入することがなく、又、臭気が排水管１５を伝って屋内側に侵入することがない。
それでいて、蓋２はバランスウエイトＷによって閉じることから、トラップ１３の水位が低下しても害虫や臭気が屋内側に侵入することがない。
更に、排水蓋Ａはユニット化されていることから、支点Ｐの一方に蓋２が、他方にバランスウエイトＷを設けることで、簡単で壊れ難い構造としながら、蓋２の開閉のための動きを長期間にわたって安定化させることができるのであり、かつ、ユニット化によって蓋２とバランスウエイトＷの平衡を確保しやすく、排水蓋Ａの排水口１２への取付けも容易・確実・迅速におこないやすく、排水蓋Ａの商品価値を高めることができる。
また、排水蓋Ａの材質は抗菌性の高い物も使用するので、薬剤を使う回数も減少し、環境保全と健康によい。
【図面の簡単な説明】
【０００７】
【図１】（ａ）は正面図である。（ｂ）は断面図である。
【図２】（ａ）は正面図である。（ｂ）は断面図である。
【図３】（ａ）は正面図である。（ｂ）は断面図である。
【図４】（ａ）は正面図である。（ｂ）は断面図である。
【図５】（ａ）は正面図である。（ｂ）は断面図である。
【図６】（ａ）は正面図である。（ｂ）は断面図である。
【図７】本発明の実施の一形態の概略断面図である。
【図８】（ａ）（ｂ）は従来の一形態の概略断面図である。
【図９】（ａ）は一般的に普及している流し台の菊割れゴム蓋の正面図である。（ｂ）は（ａ）の断面図である。（ｃ）は菊割れゴム蓋の代換品であり防臭機能をもつ製品の正面図である。（ｄ）は（ｃ）の断面図である。
【符号の説明】
【０００８】    １    取付体
２    蓋
３    付勢手段
４    円形板体
５    延出部
１２    排水口
１３    トラップ
１５    排水管
１６    排水桝
１７    下水管
１８    下水道管
１９    開口
２０    軸
２１    スライド式蓋
Ａ    排水蓋
Ｐ    支点
Ｗ    バランスウエイト
【図１】
2005113669.tif 000003
【図２】
2005113669.tif 000004
【図３】
2005113669.tif 000005
【図４】
2005113669.tif 000006
【図５】
2005113669.tif 000007
【図６】
2005113669.tif 000008
【図７】
2005113669.tif 000009
【図８】
2005113669.tif 000010
【図９】
2005113669.tif 000011